(57)【要約】【課題】受話者との距離を計測して、受話者が所定の開始距離まで近づいてきたときにハンズフリー通話を許容する構成の通話装置において、受話者との距離に対して最適な音量で通話できるようにする。【解決手段】通話装置１と受話者との距離を計測するためのセンサを設けた測距部１６と、呼出音を出力して受話者の呼出を開始した後、受話者が所定の開始距離まで近づいてきたときにハンズフリー通話を許容し、その後は通話装置１と受話者との距離に応じて、受話音声の再生音量を変化させる制御部１７とを備えた。【選択図】図１
2009159002.tif 000002
【特許請求の範囲】
【請求項１】
通話開始を要求する呼出信号を受け付けると呼出音を出力して受話者を呼出し、通話相手機とハンズフリー通話を行う通話装置において、
該通話装置と前記受話者との距離を計測するためのセンサを設けた測距部と、
前記受話者を呼出している状態で、前記受話者が所定の開始距離まで近づいてきたときに前記ハンズフリー通話を許容し、その後は該通話装置と前記受話者との距離に応じて、受話音声の再生音量を変化させる制御部とを備えた通話装置。
【請求項２】
請求項１において、
前記制御部は、前記ハンズフリー通話を開始させた後、前記受話者が所定の終了距離まで遠ざかったときには、前記ハンズフリー通話を遮断する通話装置。
【請求項３】
請求項１または２において、
前記制御部は、前記ハンズフリー通話を開始した時点で、前記受話音声の再生音量を予め設定された値とし、その後は、前記通話者が前記開始距離より近づいた場合は、前記再生音量をより小さくするように前記受話音声の再生音量を変化させる通話装置。
【請求項４】
請求項１〜３のいずれかにおいて、
前記測距部のセンサの検知方向を所望の方向に設定する方向調節機構を更に備えた通話装置。
【発明の詳細な説明】
【技術分野】
【０００１】
本発明は、通話開始を要求する呼出信号を受け付けると呼出音を出力して受話者を呼出し、通話相手機とハンズフリー通話を開始させるインターホン等の通話装置の改良に関する。
【背景技術】
【０００２】
上記のような構成の住戸インターホンでは、例えばドアホン子器からの呼出があると、受話者が住戸インターホンに設けられた通話ボタンを操作することによってハンズフリー通話を開始する仕様が一般的であるが、近年、例えば以下の特許文献１、２等により、受話者との距離を計測し、受話者が所定の距離まで接近してくると自動的にハンズフリー通話を開始する構成が提案されている。
【特許文献１】特開２００７−２０８９９１公報
【特許文献２】特開２００２−２９０５７９公報
【発明の開示】
【発明が解決しようとする課題】
【０００３】
しかしながら、特許文献１、２が開示しているような構成では、ハンズフリー通話における受話音声の再生音量が固定的であるため、住戸インターホンと受話者との距離によっては音量が大きすぎる、または小さすぎるということになり、常に最適な再生音量で通話を続けることができないという問題があった。本発明は、そのような問題の解決を課題とし、ハンズフリー通話を自動的に開始し、その後は、受話者との距離に対して最適な音量でハンズフリー通話できる新規な構成の通話装置を提供することを目的としている。
【課題を解決するための手段】
【０００４】
本発明は、通話開始を要求する呼出信号を受け付けると呼出音を出力して受話者を呼出し、通話相手機とハンズフリー通話を行う通話装置であり、該通話装置と前記受話者との距離を計測するためのセンサを設けた測距部と、前記受話者を呼出している状態で、前記受話者が所定の開始距離まで近づいてきたときに前記ハンズフリー通話を許容し、その後は該通話装置と前記受話者との距離に応じて、受話音声の再生音量を変化させる制御部とを備えている。
【０００５】
更に、前記制御部は、前記ハンズフリー通話を開始させた後、前記受話者が所定の終了距離まで遠ざかったときに、前記ハンズフリー通話を遮断する構成としてもよい。
【０００６】
また、前記制御部は、前記ハンズフリー通話を開始した時点で、前記受話音声の再生音量を予め設定された値とし、その後は、前記通話者が前記開始距離より近づいた場合は、前記再生音量をより小さくするように前記受話音声の再生音量を変化させる構成としてもよい。
【０００７】
本発明の通話装置は、前記測距部のセンサの検知方向を所望の方向に設定する方向調節機構を更に備えてもよい。
【発明の効果】
【０００８】
本発明では、受話者が所定の開始距離まで近づいてきたときにハンズフリー通話を許容し、その後は、受話者との距離に応じて、受話音声の再生音量を変化させるので、ハンズフリー通話中に受話者が移動してその距離が変化した場合でも、最適な音量でハンズフリー通話を続けることができる。
【０００９】
ハンズフリー通話を開始させた後、受話者が所定の終了距離まで遠ざかったときにはハンズフリー通話を遮断する構成では、ハンズフリー通話を開始させる開始距離と、この終了距離とを異ならせておくことが可能であり、受話者が終了距離まで離れればハンズフリー通話が自動的に遮断されるので利便であるだけでなく、受話者が多少移動しただけでハンズフリー通話が突然遮断されてしまう不都合も防止できる。
【００１０】
特にハンズフリー通話の開始後、受話者が更に接近した場合には再生音量を予め設定された値からより小さくする構成では、受話者が装置に更に接近した場合に、受話音声をやかましく感じるという事態が防止できる。
【００１１】
また、測距部のセンサに方向調節機構を設けた構成では、障害物を避けて人体を検知することが可能になる。
【発明を実施するための最良の形態】
【００１２】
以下、本発明の実施例を図に従って説明する。実施例は、集合住宅用インターホンシステムとしているが、本発明は、それ以外にも戸建住宅用インターホン、電話機等、通話開始を要求する呼出信号を受け付けると呼出音を出力して受話者を呼出し、通話相手機とハンズフリー通話を行う一般の通話装置に適用できる。
【実施例１】
【００１３】
図１は本発明を適用した住戸インターホンの概略構成を説明するブロック図、図２はその住戸インターホンを正面から見た外観図、図３はその住戸インターホンを複数台接続して構成された集合住宅用インターホンシステムの概略系統図である。
【００１４】
図１の住戸インターホン１は、マイク１１ａおよびスピーカ１１ｂを有した通話制御部１１と、小型液晶パネル等で構成された表示部１２と、通話ボタン等で構成された操作部１３と、ドアホン子器２を制御する子器制御部１４と、制御信号線や音声信号線を介した信号伝送を制御する伝送制御部１５と、人体を検知するセンサで構成した測距部１６と、これら各部を制御するマイクロコントローラで構成された制御部１７とを備えている。
【００１５】
通話制御部１１は、マイク１１ａおよびスピーカ１１ｂによるハンズフリー通話を実現するため、送話信号、受話信号に調整用の損失を加える音声スイッチ回路、エコーキャンセル回路、スピーカ１１ｂを駆動する増幅回路等で構成されている。
【００１６】
測距部１６は、例えば超音波センサで構成してもよいが、電波センサ、画像センサによって構成してもよい。
【００１７】
制御部１７は、本発明の特徴点として、測距部１６の検出信号に基づいて、住戸インターホン１と受話者との距離を算出する機能を有しており、ドアホン子器２あるいは制御装置３から呼出信号を受けると呼出音を出力して受話者の呼出し、その後は測距部１６を繰り返し作動させて受話者との距離を計測して、受話者が所定の開始距離（例えば１ｍ）まで近づいてきたときに、通話制御部１１を作動させてハンズフリー通話を許容する。その後は、スピーカ１１ｂを駆動する増幅回路の増幅率を調整する等によって、住戸インターホン１と受話者との距離に応じて、受話音声の再生音量を変化させる構成としている。ハンズフリー通話は、操作部１３で所定の終了操作を受け付けたときに遮断するが、別構成として、受話者が所定の終了距離（例えば２ｍ）まで遠ざかったときに遮断してもよい。
【００１８】
このように、本発明では、受話者が所定の開始距離まで近づいてきたときにハンズフリー通話を許容し、その後は、受話者との距離に応じて、受話音声の再生音量を変化させる構成としているので、ハンズフリー通話中に受話者が移動してその距離が変化した場合でも、最適な再生音量で通話することができる。
【００１９】
また、図２に示した住戸インターホン１は、測距部１６のセンサの検知方向を所望の方向に設定する方向調節機構を備えている。この例では、方向調節機構１８は、センサ部に設けた回転軸と、筐体上部に設けた軸受とからなり、センサを左右に回転させることで検知方向を調整できるので、障害物を避けて人体を検知することが可能になる。
【００２０】
図３の集合住宅用インターホンシステムは、ドアホン子器２を有した複数の住戸インターホン１と、制御装置３と、ロビーインターホン４とで構成され、制御信号線および音声信号線によって相互に接続されている。この集合住宅用インターホンシステムの基本的な機能は従来と同様である。すなわち、ロビーインターホン４で住戸を指定して呼出操作を行うと、制御装置３から指定された住戸の住戸インターホン１に呼出信号が送信され、住戸インターホン１で通話を許可すれば、ロビーインターホン４と住戸インターホン１との間で通話が可能になる。また、ドアホン子器２で呼出操作が行われると、ドアホン子器２から呼出信号が住戸インターホン１に送信され、住戸インターホン１で通話を許可すれば、ドアホン子器２と住戸インターホン１との間で通話が可能になる。
【００２１】
制御装置３は、ロビーインターホン４から住戸を指定した接続要求信号を受け付けると、ロビーインターホン４と指定された住戸の住戸インターホン１との間に通話路を形成する通話制御機能を有するが、更に、管理人室用インターホンを接続して、管理人室インターホンと住戸インターホン１との間でも通話制御を行う構成としてもよい。
【００２２】
図４は、本発明の特徴的な動作を説明するフロー図である。
【００２３】
この基本動作では、住戸インターホン１は、ドアホン子器２あるいは制御装置３から通話開始を要求する呼出信号を受け付けると、チャイム音等を出力して受話者の呼出を開始すると共に、測距部１６を作動させて受話者との距離計測を開始する（ステップ１０１、１０２）。そして、受話者との距離が予め定められたハンズフリー通話の開始距離以下であると判定すると呼出を中止して、ドアホン子器２あるいはロビーインターホン４とのハンズフリー通話を許容する（ステップ１０４、１０５）。ハンズフリー通話中は、受話者との距離を継続的に測定し、測定した距離に応じて受話音声の再生音量を変化させる（ステップ１０６）。その後、操作部１３で終了動作がなされるか、受話者との距離が終了距離以上になったときには、ハンズフリー通話を遮断し、更に距離測定を中止して基本動作を終了する（ステップ１０７〜１０９）。なお、呼出を行っている間に呼出信号がなくなれば、呼出と距離測定とを中止して基本動作を終了する（ステップ１１１、１１２、１１０）。
【００２４】
図５は、上記基本動作における受話者との距離に応じたハンズフリー通話の許可、遮断（オン、オフ）制御、再生音量の制御の一例を説明するグラフである。
この例は、ハンズフリー通話のオンオフ制御、再生音量の制御にヒシテリシスを有する点に特徴がある。すなわち、受話者の呼出を開始した後、受話者との距離がハンズフリー通話の開始距離以下になるとハンズフリー通話を許容し、その後は、受話者との距離が終了距離になるとハンズフリー通話を遮断するが、開始距離よりも終了距離を大きく設定することでヒシテリシスを持たせることができる。この場合、受話者が終了距離まで離れればハンズフリー通話が自動的に遮断されるので利便であるだけでなく、受話者が多少移動しただけでハンズフリー通話が突然遮断されてしまう不都合も防止できる。
【００２５】
また再生音量の制御は、ハンズフリー通話を開始した時点で、予め設定された値（＋１０ｄＢ）とし、その後は、通話者がより近づいた場合は、再生音量をより小さくする（＋０ｄＢまで）一方、通話者が開始距離からより遠ざかった場合は、再生音量を予め設定された値に戻す（＋１０ｄＢ）ようにしている。この結果、ハンズフリー通話が開始された後、受話者が更に接近した場合に受話音声をやかましく感じるという事態が防止できる。また、受話者が開始距離より遠ざかった場合は、再生音量を予め設定された値に保つので、受話者以外の者が受話音声をやかましく感じるという事態が防止できる。なお、受話者との距離が終了距離より遠ざかったためにハンズフリー通話を遮断した場合は、受話音声の再生も終了する。
【図面の簡単な説明】
【００２６】
【図１】本発明を適用した住戸インターホンの概略構成を説明するブロック図である。
【図２】本発明を適用した住戸インターホンを正面から見た外観図である。
【図３】本発明を適用した住戸インターホンを複数台接続して構成された集合住宅用インターホンシステムの概略系統図である。
【図４】本発明の特徴的な動作を説明するフロー図である。
【図５】受話者との距離に応じたハンズフリー通話のオンオフ制御、再生音量の制御の一例を説明するグラフである。
【符号の説明】
【００２７】
１    住戸インターホン（通話装置）
１６  測距部
１７  制御部
１８  方向調節機構
【図１】
2009159002.tif 000003
【図２】
2009159002.tif 000004
【図３】
2009159002.tif 000005
【図４】
2009159002.tif 000006
【図５】
2009159002.tif 000007